(57)【要約】【課題】原稿カバーの開閉を検知する検出部の故障を簡易な構成で検出する。【解決手段】  載置台に原稿がある状態で原稿カバーが開放状態から載置台を閉じる方向へ移動する第一動作にて、当該原稿カバーが第一角度以下になったと第一開閉検知部が検知した後、原稿カバーが載置台を閉じている状態を第二開閉検知部が検知しない状態で、画像読取部が原稿の画像を読み取った場合、動作判断部は第二開閉検知部に故障の疑いがあると判断し（Ｓ２１）、画像読取部が原稿の画像を読み取った後、原稿カバーが開放されて、再び載置台を閉じる方向へ原稿カバーが移動する第二動作にて、原稿カバーが載置台を閉じている状態を第二開閉検知部が検知した場合、動作判断部は第二開閉検知部が正常に動作していると判断し（Ｓ２５）、第二開閉検知部が当該検知をしなかった場合、動作判断部は第二開閉検知部が故障と判断する（Ｓ２６）。【選択図】図８
2019106626.tif 000002
【特許請求の範囲】
【請求項１】
原稿を載置する載置台と、
前記載置台に載置された原稿の画像を読み取る画像読取部と、
前記載置台の上面を閉じる位置と、前記載置台の上面を開放する位置との間で回動可能に支持された原稿カバーと、
前記載置台に対する前記原稿カバーの開閉角度が予め定められた第一角度以下にあることを検知する第一開閉検知部と、
前記原稿カバーが前記載置台を閉じている状態にあることを検知する第二開閉検知部と、
前記第二開閉検知部が正常に動作しているか否かを判断する動作判断部と、
前記載置台上に原稿があるか否かを検出する原稿検出部とを備え、
前記原稿検出部によって前記載置台に原稿があると検出されている状態で前記原稿カバーが開放状態から前記載置台を閉じる方向へ移動する第一動作にて、当該原稿カバーが前記第一角度以下になったことを前記第一開閉検知部が検知した後、前記原稿カバーが前記載置台を閉じている状態になったことを前記第二開閉検知部が検知しない状態で、前記画像読取部が前記原稿の画像を読み取った場合、前記動作判断部は前記第二開閉検知部に故障の疑いがあると判断し、
前記画像読取部が前記原稿の画像を読み取った後、前記原稿カバーが開放されて、再び前記載置台を閉じる方向へ前記原稿カバーが移動する第二動作にて、前記原稿カバーが前記載置台を閉じている状態になったことを前記第二開閉検知部が検知した場合、前記動作判断部は前記第二開閉検知部が正常に動作していると判断し、前記第二開閉検知部が当該検知をしなかった場合、前記動作判断部は前記第二開閉検知部が故障していると判断する画像読取装置。
【請求項２】
前記画像読取部が読み取った原稿の画像から当該原稿がブック原稿であるか否かを判断するブック原稿判断部を更に備え、
前記第一動作にて前記動作判断部が前記第二開閉検知部に故障の疑いがあると判断した場合に、前記原稿判断部が前記原稿はブック原稿であると判断したときは、前記動作判断部は、前記第二開閉検知部が故障と判断せず、前記第二開閉検知部が正常に動作していると判断する請求項１に記載の画像読取装置。
【請求項３】
前記動作判断部は、前記第二動作時における前記第二開閉検知部が正常に動作しているか否かの判断を、前記原稿検出部によって前記載置台に原稿がないと検出されている場合にのみ行う請求項１又は２に記載の画像読取装置。
【請求項４】
前記原稿カバーの開閉角度が前記第一角度以下にあることを前記第一開閉検知部が検知したときに、前記載置台上の原稿の一方向の長さ、及び当該原稿の他方向の長さを測定する第一原稿サイズ検出部と、
前記原稿カバーが前記載置台を閉じている状態にあることを前記第二開閉検知部が検知したときに、前記載置台上の原稿の一方向の長さ、及び当該原稿の他方向の長さを測定する第二原稿サイズ検出部と、
前記第一原稿サイズ検出部と前記第二原稿サイズ検出部の各検出結果が示す原稿サイズのうち、大きい方の原稿サイズを、前記原稿のサイズとして決定する原稿サイズ決定部とを更に備え、
前記動作判断部が前記第二開閉検知部は故障していると判断した場合、前記第一開閉検知部が前記原稿カバーの開閉角度が前記第一角度以下にあることを検知した時点から予め定められた時間後に、前記第二原稿サイズ検出部が、前記載置台上の原稿の一方向及び他方向の長さの測定を行う請求項１乃至請求項３のいずれかに記載の画像読取装置。
【請求項５】
請求項１乃至請求項４のいずれかに記載された画像読取装置と、
前記画像読取装置が読み取った画像を用紙に印刷する画像形成部と、
を備えた画像形成装置。
【発明の詳細な説明】
【技術分野】
【０００１】
本発明は、原稿の画像を読み取る画像読取装置と、読み取った画像を用紙に印刷する画像形成装置に関する。
【背景技術】
【０００２】
昨今の画像読取装置においては、原稿を載置する載置台上の原稿を抑えるための原稿カバーの開閉角度を、予め定められた開閉角度と載置台を完全に閉じた角度の二段階で検知し、予め定められた開閉角度を検知したときに原稿サイズセンサが原稿の一方向及び他方向の長さを測定し、原稿カバーが載置台を完全に閉じたときにも原稿の一方向及び他方向の長さを測定し、これら両測定の結果に基づいて原稿サイズを決定する。当該画像読取置の一例が特許文献１に記載されている。
【先行技術文献】
【特許文献】
【０００３】
【特許文献１】特開２０１６−０１９１６４号公報
【発明の概要】
【発明が解決しようとする課題】
【０００４】
特許文献１には、原稿カバーが載置台を完全に閉じたことを検知するセンサーが故障した場合について記載されており、特に原稿カバーが開いているにも関わらずセンサーが開いていることを検知しない（閉じていることを検知し続けている）場合の故障について記載されている。しかし、原稿カバーを閉じているにも関わらず、センサーが閉じていることを検知しない（開いていることを検知し続けている）場合の故障については記載されておらず、このような故障を検出することができない。
【０００５】
本発明は、原稿カバーの開閉を検知する検出部の故障を簡易な構成で検出することを目的とする。
【課題を解決するための手段】
【０００６】
本発明における画像読取装置は、原稿を載置する載置台と、前記載置台に載置された原稿の画像を読み取る画像読取部と、前記載置台の上面を閉じる位置と、前記載置台の上面を開放する位置との間で回動可能に支持された原稿カバーと、前記載置台に対する前記原稿カバーの開閉角度が予め定められた第一角度以下にあることを検知する第一開閉検知部と、前記原稿カバーが前記載置台を閉じている状態にあることを検知する第二開閉検知部と、前記第二開閉検知部が正常に動作しているか否かを判断する動作判断部と、前記載置台上に原稿があるか否かを検出する原稿検出部とを備え、前記原稿検出部によって前記載置台に原稿があると検出されている状態で前記原稿カバーが開放状態から前記載置台を閉じる方向へ移動する第一動作にて、当該原稿カバーが前記第一角度以下になったことを前記第一開閉検知部が検知した後、前記原稿カバーが前記載置台を閉じている状態になったことを前記第二開閉検知部が検知しない状態で、前記画像読取部が前記原稿の画像を読み取った場合、前記動作判断部は前記第二開閉検知部に故障の疑いがあると判断し、前記画像読取部が前記原稿の画像を読み取った後、前記原稿カバーが開放されて、再び前記載置台を閉じる方向へ前記原稿カバーが移動する第二動作にて、前記原稿カバーが前記載置台を閉じている状態になったことを前記第二開閉検知部が検知した場合、前記動作判断部は前記第二開閉検知部が正常に動作していると判断し、前記第二開閉検知部が当該検知をしなかった場合、前記動作判断部は前記第二開閉検知部が故障していると判断する。
【０００７】
本発明における画像形成装置は、上記画像読取装置と、前記画像読取装置が読み取った画像を用紙に印刷する画像形成部と、を備えている。
【発明の効果】
【０００８】
本発明によれば、原稿カバーの開閉を検知する検出部の故障を簡易な構成で検出することができる。
【図面の簡単な説明】
【０００９】
【図１】画像読取装置の全体構成を示す概略断面図である。
【図２】横から見た画像読取装置を簡単に示した図である。
【図３】横から見た画像読取装置を簡単に示した図である。
【図４】原稿搬送部の要部を拡大して示した正面断面図である。
【図５】原稿搬送部の要部を拡大して示した正面断面図である。
【図６】画像読取部を上方から見た時の概略図である。
【図７】画像読取装置の電気的構成を示したブロック図である。
【図８】原稿サイズ検知処理の流れを示したフローチャートである。
【図９】載置台にブック原稿が置かれた画像読取装置の斜視図である。
【発明を実施するための形態】
【００１０】
以下、本発明の実施形態に係る画像読取装置及び画像形成装置について、図面に基づき詳細に説明する。尚、本実施の形態では、説明を簡単にするために、画像読取装置を例に挙げて説明する。そして、本発明の一実施形態に係る画像形成装置は、以下で説明する画像読取装置に、電子写真方式やインクジェット方式等の画像形成装置を組み合わせたものである。
【００１１】
図１は、画像読取装置１の全体構成を示す概略断面図である。尚、図１の画像読取装置１は、原稿搬送装置（ＡＤＦ：Auto Document Feeder）を備えているが、なくてもよい。画像読取装置１は、画像読取部５及び原稿搬送部６を備えて構成されている。
【００１２】
画像読取部５は、原稿を載置するための載置台１６１、スキャナ部２及び原稿読取スリット５３を有する。スキャナ部２は、載置台１６１に載置された原稿に光を照射する光源２６と、原稿からの反射光を第２ミラー２２に反射する第１ミラー２１を有するスキャナユニット２０、反射光をＣＣＤ（Charge Coupled Device）やＣＭＯＳ（Complementary Metal Oxide Semiconductor）等のイメージセンサーで構成された撮像素子２５へ導く第２ミラー２２、第３ミラー２３及びレンズ系２４を備える。
【００１３】
原稿搬送部６は、給紙ローラー及び搬送ローラーの駆動により、原稿載置部６１に載置された原稿束Ｓを１枚ずつ繰り出して原稿読取スリット５３に対向する位置へ搬送し、原稿読取スリット５３を介して画像読取部５による読み取りを可能とした後、原稿排出部６６へと排出する。また原稿搬送部６は、画像読取部５の上面にある載置台１６１に対して開閉自在であり、原稿搬送部６が閉状態にあるときに画像読取部５の上面と対向する面には原稿押さえ板１６２を有する。原稿押さえ板１６２は、載置台１６１に載置された原稿を押さえるためのものであり、一般的に原稿を押さえる側の面は白色となっている。ここで、原稿搬送部６は、特許請求の範囲における原稿カバーに相当する。
【００１４】
まず、ユーザーが原稿搬送部６を開状態とし、原稿を載置台１６１上に載置し、原稿搬送部６を閉状態とすることで原稿が載置台１６１に押し付けられた状態となる。
【００１５】
そして、後述する制御部１００の制御に従って光源２６が発光し、この光源２６の光が載置台１６１を透過して原稿に照射される。その結果、原稿の反射光が載置台１６１を通して第１ミラー２１に入射する。この入射光は、第２ミラー２２、第３ミラー２３及びレンズ系２４を通過した後、撮像素子２５へ入射する。
【００１６】
撮像素子２５は、制御部１００の制御に従って動作し、入射光を電気信号へ変換する。撮像素子２５は、主走査方向に配列しており、主走査方向の１ライン分の出力値を得る。尚、撮像素子２５は、複数ライン分の画像データを同時に取得可能なように、複数列が配置されていても良い。
【００１７】
更に、光源２６と第１ミラー２１で構成されたスキャナユニット２０は、後述する駆動部（不図示）によって、初期位置であるホームポジションから副走査方向（矢印Ｙ方向）に一定速度で移動する。こうすることで、画像読取部５は原稿の主走査方向１ライン分の出力値を副走査方向に連続して取得し、結果として原稿全体の画像を読み取ることができる。
【００１８】
次に、図２〜図５を用いて原稿カバーとしての原稿搬送部６の開閉検知を説明する。図２及び図３は、原稿搬送部６を開けた状態を示した図であり、横から見た画像読取装置１を簡単に示した図である。そして、紙面左方向が装置正面、紙面右方向が装置背面である。また、図２は原稿搬送部６を開けた状態を示した図であり、図３は原稿搬送部６が閉じられる途中の状態を示した図である。
【００１９】
原稿搬送部６は、画像読取部５の本体背面側の辺に沿って設けられた２カ所の回転軸や支持部材（不図示）を用いて、画像読取部５の本体に対して回動自在に取り付けられている。これにより、原稿搬送部６は、画像読取部５の正面側の上下を振るようにして画像読取部５の本体に対して回動し、載置台１６１上面に対して開閉の姿勢を取る。
【００２０】
そして、画像読取部５には、原稿搬送部６を支持する回転軸（不図示）近傍に第一開閉検知部３１が設けられている。この第一開閉検知部３１は棒状部材、光センサー、ばね等から構成される。
【００２１】
棒状部材は、上下方向に延びる部材であり、ばねが棒状部材を上方に付勢することにより、原稿搬送部６の開けられる角度に応じて上下方向にスライドする。具体的には、原稿搬送部６が開けられると、棒状部材がばねによって上方に付勢されることにより、画像読取部５の上面から突出する。
【００２２】
そして、原稿搬送部６が閉じられると、棒状部材が下方に押し込まれる。棒状部材の下端部には光センサー（例えば、透過型光センサー）が設けられており、棒状部材が下方に押し込まれることで光センサーの発光部と受光部の間の光路を遮る。
【００２３】
光センサーは、図３に示すように、原稿搬送部６の開閉角度が画像読取部５の上面に対して予め定められた角度θ以下になったときに、棒状部材が光センサーの光路を遮る位置に設置されている。つまり、原稿搬送部６の開閉角度がθ以下になったとき、光センサーの信号が変化することで、後述する制御部１００は原稿搬送部６の開閉角度がθ以下になったことを検知する。
【００２４】
図４及び図５は、原稿搬送部６の要部を拡大して示した正面断面図である。尚、図４は原稿搬送部６が少し開けられた状態であって載置台１６１から浮き上がった状態を示し、図５は原稿搬送部６が完全に閉じられた状態であって載置台１６１に当接している状態を示す。
【００２５】
原稿搬送部６には、載置台１６１を閉じたときに原稿読取スリット５３と対向する位置に原稿ガイド部材３２が設けられている。この原稿ガイド部材３２は、原稿の幅方向（主走査方向）に延び、その長さ方向の両端部に設けたばね（不図示）により原稿読取スリット５３に向けて押圧されている。原稿ガイド部材３２は、原稿搬送部６を閉じたときにその両端部が載置台１６１に当接するようになっており、当該当接時には、長さ方向における中央部には、載置台１６１との間で一定の隙間が形成される形状となっている。原稿はこの隙間を通過する。
【００２６】
そして、原稿ガイド部材３２の前側上方には第二開閉検知部３３（例えば、透過型光センサー）が設けられている。図４に示すように、原稿搬送部６が開けられたとき、原稿ガイド部材３２はばねにより原稿搬送部６の下面方向に付勢されているために第二開閉検知部３３の発光部と受光部の光路が開放される。
【００２７】
そして、図５に示すように、原稿搬送部６が閉められたとき、原稿ガイド部材３２は原稿読取スリット５３に押圧されて上方に移動する。これにより、第二開閉検知部３３の発光部と受光部の光路が遮断され、第二開閉検知部３３は、光路が遮断されたときに、光を受光していないことを示す信号を出力する。後述する制御部１００は、この第二開閉検知部３３から、光路が遮断されて光を受光していないことを示す信号を受信したときに、原稿搬送部６が閉じられたことを検知する。また、後述する動作判断部１０２は、第二開閉検知部３３から当該信号を受信するか否かに基づいて、第二開閉検知部３３が正常に動作しているか否かを判断する。
【００２８】
図６は、画像読取部５を上方から見た時の概略図である。原稿サイズ検出部８２は、例えば、各原稿サイズ検出部８２に対向する載置台１６１上の領域に載置された原稿から反射される光の有無を検知する光センサーである。制御部１００は、第一開閉検知部３１から原稿搬送部６の開閉角度がθ以下になったことを示す検知信号を受信したときに、原稿サイズ検出部８２から、上記反射される光の有無を示す検知信号を受け取る。制御部１００は、異なる副走査方向位置に配設されている各原稿サイズ検出部８２のうち、いずれの位置に配置されている原稿サイズ検出部８２から、上記反射される光があることを示す検知信号を受け取ったかに基づいて、原稿の副走査方向の長さを検出する。
【００２９】
更に、制御部１００は、予め定められた副走査方向位置である主走査方向サイズ検出位置までスキャナユニット２０を移動させ、スキャナユニット２０に載置台１６１に向けて光を照射させて、スキャンさせる（プレスキャン）。制御部１００は、当該プレスキャン後、スキャナユニット２０を主走査方向サイズ検出位置で停止させておく。原稿搬送部６が完全に閉じられる前に載置台１６１に向けてスキャナユニット２０が光を照射してスキャンすると、原稿がないために反射されなかった光はスキャナユニット２０に入射しない。一方、原稿によって反射された光はスキャナユニット２０に入射する。スキャナユニット２０はこの入射光を電気信号に変換する。制御部１００は、スキャナユニット２０からの当該電気信号、すなわち、スキャナユニット２０によって読み取られた画像に基づいて、原稿の主走査方向の長さを検出する。制御部１００、スキャナユニット２０、及び原稿サイズ検出部８２は、特許請求の範囲における第一原稿サイズ検出部の一例となる。
【００３０】
また、制御部１００は、第二開閉検知部３３から原稿搬送部６が閉められたことを示す検知信号を受信した場合も、第一開閉検知部３１から原稿搬送部６の開閉角度がθ以下になったことを示す検知信号を受信したときと同様の制御を行って、原稿の副走査方向の長さ及び原稿の主走査方向の長さを検出する。なお、制御部１００は、上記プレスキャン時には、スキャナユニット２０を主走査方向サイズ検出位置でプレスキャンを行わせ、その後に予め定められたホームポジションまでスキャナユニット２０を移動させる。制御部１００、スキャナユニット２０、及び原稿サイズ検出部８２は、特許請求の範囲における第二原稿サイズ検出部の一例となる。
【００３１】
後述する原稿サイズ決定部１０１は、上記のようにして、スキャナユニット２０によって読み取られた画像、及び原稿サイズ検出部８２から受け取った信号に基づいて、載置台１６１に載置された原稿のサイズを決定する。
【００３２】
図７は、本実施の形態における画像読取装置１の電気的構成を示したブロック図である。尚、上記で説明した構成要素と同じ要素については同じ符号を付し、説明を省略する。
【００３３】
画像読取装置１は、制御部１００、原稿搬送部６、画像読取部５、画像メモリー７及び画像処理部８を備える。画像メモリー７は、画像読取部５が読み取った画像を一時的に記憶する。画像処理部８は、画像読取部５が読み取った画像に対して、画像圧縮、画質調整、拡大・縮小等の画像処理を施す。
【００３４】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００、原稿サイズ決定部１０１、動作判断部１０２、ブック原稿判断部１０３、及び原稿検出部１０４を備えている。
【００３５】
上記プロセッサーが、図示しないＨＤＤ（Hard Disk Drive）又はＲＯＭ（Read Only Memory）に記憶されている制御プログラムに従って動作することにより、制御ユニット１０は、制御部１００、原稿サイズ決定部１０１、動作判断部１０２、ブック原稿判断部１０３、及び原稿検出部１０４として機能する。但し、制御部１００、原稿サイズ決定部１０１、動作判断部１０２、ブック原稿判断部１０３、及び原稿検出部１０４は、プロセッサーによる制御プログラムに従った上記動作によらず、それぞれハードウェア回路により構成することも可能である。以下、特に触れない限り、各実施形態について同様である。
【００３６】
制御部１００は、画像読取装置１の全体的な動作制御を司る。
【００３７】
原稿サイズ決定部１０１は、スキャナユニット２０によって読み取られた画像と、原稿サイズ検出部８２から受け取る信号に基づいて、載置台１６１に載置された原稿のサイズを決定する。本実施形態では、原稿サイズ決定部１０１は、上述したように、上記第一開閉検知部３１から原稿搬送部６の開閉角度がθ以下になったことを示す検知信号を受信した第１時点と、第二開閉検知部３３から原稿搬送部６が閉められたことを示す検知信号を受信した第２時点の両時点でそれぞれ検出された、上記原稿の副走査方向の長さ、及び上記原稿の主走査方向の長さについての検出結果に基づいて、当該原稿の原稿サイズを決定する。原稿サイズ決定部１０１は、第１時点における上記原稿の副走査方向の長さ、及び上記原稿の主走査方向の長さについての検出結果と、第２時点における上記原稿の副走査方向の長さ、及び上記原稿の主走査方向の長さについての検出結果とが示すそれぞれの原稿サイズのうち、大きい方の原稿サイズを、載置台１６１上の領域に載置された原稿のサイズとして決定する。
【００３８】
動作判断部１０２は、第二開閉検知部３３が正常に動作しているか否かを判断する。例えば、動作判断部１０２は、原稿搬送部６の開閉角度がθ以下になったことを第一開閉検知部３１が検知した後に、第二開閉検知部３３から上記光を受光していないことを示す信号を受信した場合は、第二開閉検知部３３が正常に動作していると判断する。動作判断部１０２は、原稿搬送部６の開閉角度がθ以下になったことを第一開閉検知部３１が検知した後に、第二開閉検知部３３から上記光を受光していないことを示す信号を受信しない場合は、第二開閉検知部３３が正常に動作していないと判断する。
【００３９】
ブック原稿判断部１０３は、画像読取部５が読み取った画像から原稿がブック原稿（本）であるか否かを判断する。例えば、ブック原稿判断部１０３は、画像読取部５がブック原稿を読み取った場合に、読み取った画像に含まれることが多い予め定められた画像（例えば、原稿画像の主走査方向の中央部付近において副走査方向に延びる筋画像、又は、原稿画像の副走査方向の中央部付近において主走査方向に延びる筋画像等）を予め記憶しておく。そして、ブック原稿判断部１０３は、パターンマッチング等の技術により、当該予め定められた画像に近似する画像を、画像読取部５がブック原稿を読み取った原稿画像内に検出した場合に、画像読取部５により読み取られた原稿がブック原稿であると判断する。
【００４０】
原稿検出部１０４は、載置台１６１上に原稿があるか否かを検出する。原稿検出部１０４は、異なる副走査方向位置に配設されている各原稿サイズ検出部８２のうち、上記ホームポジションに最も近い副走査方向位置に配設されている原稿サイズ検出部８２から、上記反射される光があることを示す検知信号を受け取ったことをもって、載置台１６１上に原稿があることを検出する。
【００４１】
図８は、本実施の形態における原稿サイズ検出処理の流れを示したフローチャートである。原稿サイズ検出処理の流れについて説明する。
【００４２】
まず、原稿搬送部６の開閉角度がθ以下になったことを第一開閉検知部３１が検知すると（Ｓ１１；ＹＥＳ）、制御部１００は、スキャナユニット２０及び原稿サイズ検出部８２を駆動させ、スキャナユニット２０によって読み取られた画像及び原稿サイズ検出部８２からの信号に基づいて、上述したようにして、原稿の主走査方向及び副走査方向の長さを検出する（Ｓ１２）。
【００４３】
そして、原稿搬送部６が更に閉じられたことを第二開閉検知部３３が検知すると（Ｓ１３；ＹＥＳ）、制御部１００は、スキャナユニット２０及び原稿サイズ検出部８２を駆動させ、スキャナユニット２０によって読み取られた画像及び原稿サイズ検出部８２からの信号に基づいて、上述したようにして、原稿の主走査方向及び副走査方向の長さを検出する（Ｓ１４）。
【００４４】
そして、原稿サイズ決定部１０１は、Ｓ１２で得られた検出結果と、Ｓ１４で得られた検出結果とが示すそれぞれの原稿サイズのうち、大きい方の原稿サイズを、載置台１６１上の領域に載置された原稿のサイズとして決定する（Ｓ１５）。
【００４５】
その後、原稿読取を指示するスタートボタン（不図示）がユーザーによって押下されると（Ｓ１６；ＹＥＳ）、スキャナユニット２０は原稿の読み取りを行う（Ｓ１７）。
【００４６】
一方、原稿搬送部６が閉じられたことを第二開閉検知部３３が検知しなかった場合（Ｓ１３；ＮＯ）、制御部１００は、第二開閉検知部３３の信号をきっかけとしたプレスキャンを行わず、スタートボタンが押されて原稿読取指示が入力されたときに（Ｓ１６；ＹＥＳ）、スキャナユニット２０に原稿の読み取りを行わせる（Ｓ１７）。なお、原稿サイズ決定部１０１は、Ｓ１４におい原稿サイズ検出が行われなかった場合は、Ｓ１２で得られた検出結果が示す原稿サイズを、載置台１６１上の領域に載置された原稿のサイズとして決定する。
【００４７】
原稿搬送部６の開閉角度がθ以下になったことを第一開閉検知部３１が検知した後、原稿搬送部６が閉じられたことを第二開閉検知部３３が上記予め定められた時間以内に検知しなかった場合、第二開閉検知部３３が故障していることが考えられる。または、図９に示すように、原稿が本（ブック原稿）等の厚みのある原稿である場合、原稿搬送部６が完全に閉まらないために第二開閉検知部３３が作動しないケースも考えられる。
【００４８】
原稿の読み取り時に第二開閉検知部３３が原稿搬送部６の閉姿勢を検知していない場合（Ｓ１８；ＹＥＳ）、ブック原稿判断部１０３はスキャナユニット２０が読み取った画像から原稿の種類が本（ブック原稿）であるか否かを判断する。そして、原稿がブック原稿である場合（Ｓ１９；ＹＥＳ）、動作判断部１０２は、第二開閉検知部３３は故障しておらず正常に動作していると判断する。
【００４９】
一方、原稿がブック原稿ではない場合（Ｓ１９；ＮＯ）、動作判断部１０２は第二開閉検知部３３が故障している可能性があると判断する（Ｓ２１）。すなわち、動作判断部１０２は、第二開閉検知部３３が故障している疑いがあると判断する。この段階では、第二開閉検知部３３が作動しなくても、動作判断部１０２は故障の疑いがあるとだけ判断する。このように、ブック原稿の場合は、動作判断部１０２は、第二開閉検知部３３が故障していると判断しないことで、動作判断部１０２は第二開閉検知部３３の故障を正確に判断することができる。
【００５０】
その後、ユーザーは原稿搬送部６を開閉角度がθよりも大きく開けて原稿搬送部６を一旦開放し、載置台１６１上の原稿を取り出す。そして、再び、原稿搬送部６の開閉角度がθ以下になったことを第一開閉検知部３１が検知し（Ｓ２２；ＹＥＳ）、原稿検出部１０４によって載置台１６１上に原稿があると検出されている場合（Ｓ２３；ＹＥＳ）、制御部１００はＳ１３へ処理を移行する。制御部１００は、原稿の有無を原稿サイズ検出部８２の検出結果によって判断する。
【００５１】
原稿検出部１０４によって載置台１６１上に原稿がないと検出されている場合（Ｓ２３；ＮＯ）、原稿搬送部６が更に閉められたことを第二開閉検知部３３が検知した場合（Ｓ２４；ＹＥＳ）、動作判断部１０２は、第二開閉検知部３３は正常に動作していると判断する（Ｓ２５）。
【００５２】
一方、原稿搬送部６の開閉角度がθ以下になったことを第一開閉検知部３１が検知し（Ｓ２２；ＹＥＳ）、原稿検出部１０４によって載置台１６１上に原稿がないと検出されており（Ｓ２３；ＮＯ）、原稿搬送部６が更に閉められたことを第二開閉検知部３３が検知しなかった場合（Ｓ２４；ＮＯ）、動作判断部１０２は、第二開閉検知部３３は故障していると判断する（Ｓ２６）。載置台１６１に原稿がない状態で第二開閉検知部３３が正常に動作しているか否かを判断することで、正確な判断結果を得ることができる。
【００５３】
なお、本実施形態では、原稿の読み取り時に第二開閉検知部３３が原稿搬送部６の閉姿勢を検知していないときは（Ｓ１８；ＹＥＳ）、原稿がブック原稿ではない場合に（Ｓ１９；ＮＯ）、動作判断部１０２は第二開閉検知部３３が故障している可能性があると判断するが（Ｓ２１）、これに代えて、原稿の読み取り時に第二開閉検知部３３が原稿搬送部６の閉姿勢を検知していないときは（Ｓ１８；ＹＥＳ）、原稿がブック原稿であるか否かに拘わらず、動作判断部１０２は、第二開閉検知部３３が故障している可能性があると判断するようにしてもよい。
【００５４】
従来、原稿搬送部６の開閉角度がθ以下になったことを第一開閉検知部３１が検知した後、原稿搬送部６が閉じられたことを第二開閉検知部３３が予め定められたタイムアウト時間（例えば、５秒）内に検知しなかった場合、当該タイムアウト時間が経過した時点で、制御部１００がスキャナユニット２０にプレスキャンを行わせていた。
【００５５】
しかし、本実施形態においては、以下の制御が可能である。動作判断部１０２が第二開閉検知部３３の正常動作を判断するため、第二開閉検知部３３が故障していると動作判断部１０２が判断した以降は、原稿搬送部６の開閉角度がθ以下になったことを第一開閉検知部３１が検知した時点から、例えば上記タイムアウト時間よりも短い規定時間（例えば、２秒）後に、制御部１００が、スキャナユニット２０及び原稿サイズ検出部８２を駆動させ、スキャナユニット２０によって読み取られた画像及び原稿サイズ検出部８２からの信号に基づいて、原稿の主走査方向及び副走査方向の長さを検出する制御が可能である。これにより、原稿サイズを比較的早い段階で決定することができる。つまり、第二開閉検知部３３が故障中であっても、原稿サイズ等の画像読み取りを適切なタイミングで行うことが可能である。
【符号の説明】
【００５６】
１      画像読取装置
１００  制御部
１０１  原稿サイズ決定部
１０２  動作判断部
１６１  載置台
２０    スキャナユニット
３１    第一開閉検知部
３３    第二開閉検知部
５      画像読取部
５３    原稿読取スリット
６      原稿搬送部
８２    原稿サイズ検出部
【図１】
2019106626.tif 000003
【図２】
2019106626.tif 000004
【図３】
2019106626.tif 000005
【図４】
2019106626.tif 000006
【図５】
2019106626.tif 000007
【図６】
2019106626.tif 000008
【図７】
2019106626.tif 000009
【図８】
2019106626.tif 000010
【図９】
2019106626.tif 000011